(57)【特許請求の範囲】
【請求項１】
複数の発光素子と、長尺状の導光部材と、白色基準部材と、前記発光素子からの光を照射された被照射体を読み取る読取り部と、前記発光素子の発光を制御する発光制御手段とを備え、
前記発光素子は前記導光部材の両端部に設けられており、前記発光素子からの光を前記導光部材の内部で導光して長手方向に沿った光出射面から前記白色基準部材に光を照射し、
前記発光制御手段は、読取り部により読み取った前記白色基準部材の画像データに基づいて発光光量分布を取得し、前記発光光量分布における光量が小さい側に設けられている一端側の前記発光素子の光量を増加させ、前記複数の発光素子からの前記発光光量分布を前記長手方向に沿って対称に近づけるように調整することを特徴とする画像読取装置。
【請求項２】
請求項１に記載の画像読取装置であって、
前記発光光量分布を前記導光部材の前記長手方向に沿った複数のブロックに分類し、
前記発光制御手段は、両端部から対称に位置する前記ブロック毎に光量の大小関係を比較することを特徴とする画像読取装置。
【請求項３】
請求項１または２に記載の画像読取装置であって、
前記導光部材と前記複数の発光素子の組み合わせを二つ備えることを特徴とする画像読取装置。
【請求項４】
請求項１または２に記載の画像読取装置であって、
前記導光部材と平行な反射部材を備え、前記反射部材は前記導光部材からの光を前記被照射体に対して反射することを特徴とする画像読取装置。
【請求項５】
請求項１から４のいずれか１つに記載の画像読取装置と、
前記画像読取装置により読取られた前記被照射体の画像を記録用紙に印刷する印刷部を備えたことを特徴とする画像形成装置。
【請求項６】
複数の発光素子を長尺状の導光部材の両端部に設け、前記発光素子から光を照射された被照射体を読み取る画像読取方法であって、
前記発光素子からの光を前記導光部材の内部で導光して長手方向に沿った光出射面から白色基準部材に光を照射し、
前記白色基準部材の画像データを読取って発光光量分布を取得し、
前記発光光量分布における光量が小さい側に設けられている一端側の前記発光素子の光量を増加させ、前記複数の発光素子からの前記発光光量分布を前記長手方向に沿って対称に近づけるように調整することを特徴とする画像読取方法。
【発明の詳細な説明】
【技術分野】
【０００１】
本発明は、画像読取装置、それを備えた画像形成装置及び画像読取方法に関する。
【背景技術】
【０００２】
この種の画像読取り装置においては、ガラス上で原稿を副走査方向に搬送しつつ、ガラスの下方で、光源部により原稿を照明して、ＣＣＤ（Ｃｈａｒｇｅ  Ｃｏｕｐｌｅｄ  Ｄｅｖｉｃｅ）等の撮像素子により原稿を主走査方向に繰り返し走査して読取ったり、あるいはガラス上に原稿を位置決めして載置し、ガラスの下方で、光源部及び撮像素子等を副走査方向に移動させつつ、光源部により原稿を照明して、撮像素子により原稿を主走査方向に繰り返し走査して読取ったりしている。また、原稿を照明する光源部としては、種々のものがあり、蛍光灯やＬＥＤ（Ｌｉｇｈｔ  Ｅｍｉｔｔｉｎｇ  Ｄｉｏｄｅ）アレイ等が用いられている。
【０００３】
このような画像読み取り装置では、原稿を照明する光を光源等が発光し、導光部材等を経由して原稿面に光が照射され、原稿面で反射された反射光（読取光）を所定の光路に沿ってＣＣＤ等の撮像素子まで到達させて撮像している。例えば特許文献１では、長尺状の導光棒の両端にＬＥＤを配置して、ＬＥＤからの光を導光棒により導光して散乱反射させて被照射体に光を照射している。原稿等の被照射体に均一に光を照射するためには、光源と導光部材を設計された位置関係に正しく配置する必要がある。
【先行技術文献】
【特許文献】
【０００４】
【特許文献１】特開平１０−２５５５３２号公報
【発明の概要】
【発明が解決しようとする課題】
【０００５】
引用文献１のような照明用光源では、導光棒の両端に配置するＬＥＤからの光量が均一であり、導光棒に対して正確に光を入射させる必要がある。しかし、可能な限り同一性能のＬＥＤを用いるために、性能毎のランク分けで同一ランクに属するＬＥＤを用いたとしても、同一ランク内として許容される程度の性能差が存在する。
【０００６】
図１１は、ランク分けされたＬＥＤの性能ばらつきを示す表である。同一ランクに属しているＬＥＤでも、順方向電圧が２．６〜３．５Ｖの範囲内でばらついており、光束も最小と最大では２０％程度もばらついていることがわかる。また、可能な限り性能が似通ったＬＥＤを用いたとしても、導光棒の両側にＬＥＤを取り付ける際にも、ネジ止めなどの機械的取付けをするために組立誤差が生じてしまう。
【０００７】
図１２はＣＣＤが読み取った主走査方向における光量分布を示すグラフであり、図１２（ａ）はＬＥＤアレイによる発光光量分布を示し、図１２（ｂ）は導光棒両端にＬＥＤを設けた光源による光量分布を示している。
【０００８】
図１２（ａ）に示したように主走査方向における発光光量分布が中央をピークとして対称となっている光量分布が好ましい。しかし、導光棒両端にＬＥＤを設けた光源では、上述したようにＬＥＤ特性のばらつきや組立誤差によって、両端のＬＥＤから導光棒に入射する光量が対称とはならない。結果として、ＣＣＤが読み取った発光光量分布は図１２（ｂ）のように非対称なものとなってしまう。
【０００９】
発光光量分布の非対称さをなくすために、ＬＥＤ特性ばらつきや組立誤差を完全になくすことは非常に困難であり、製造工程の複雑化や部品数の増加などを招いてしまい好ましくない。
【００１０】
そこで、本発明は、上記従来の問題点に鑑みなされたものであり、ＬＥＤの特性ばらつきや組立誤差によらず、略対称で均一な発光光量分布を簡便に実現することが可能な画像読取装置、それを備えた画像形成装置及び画像読取方法を提供することを目的とする。
【課題を解決するための手段】
【００１１】
上記課題を解決するために、本発明の画像読取装置は、複数の発光素子と、長尺状の導光部材と、白色基準部材と、前記発光素子からの光を照射された被照射体を読み取る読取り部と、前記発光素子の発光を制御する発光制御手段とを備え、前記発光素子は前記導光部材の両端部に設けられており、前記発光素子からの光を前記導光部材の内部で導光して長手方向に沿った光出射面から前記白色基準部材に光を照射し、前記発光制御手段は、読取り部により読み取った前記白色基準部材の画像データに基づいて発光光量分布を取得し、前記発光光量分布における光量が小さい側に設けられている一端側の前記発光素子の光量を増加させ、前記複数の発光素子からの前記発光光量分布を前記長手方向に沿って対称に近づけるように調整することを特徴とする。
【００１２】
このような本発明の画像読取装置では、読取り部が現実に読み取った白色基準部材の画像データに基づいて発光素子の制御をして均一化するため、ＬＥＤの特性ばらつきや組立誤差の影響を含めて発光光量分布制御を一括して行うことができる。また、一端側の発光素子のみを制御するため、簡便な制御で発光光量分布を略対称として均一化することが可能となる。
【００１４】
このように、発光光量分布における光量が小さい側の発光素子の光量を増加させるため、導光部材から照射する全体の光量が減少せず、読取り部側でのゲイン調整時にノイズが増大することを抑制することができる。
【００１５】
また、本発明の画像読取装置では、前記光量分布を前記導光部材の前記長手方向に沿った複数のブロックに分類し、前記発光制御手段は、両端部から対称に位置する前記ブロック毎に光量の大小関係を比較する。
【００１６】
また、本発明の画像読取装置では、前記導光部材と前記複数の発光素子の組み合わせを二つ備える。
【００１７】
また、本発明の画像読取装置では、前記導光部材と平行な反射部材を備え、前記反射部材は前記導光部材からの光を前記被照射体に対して反射する。
【００１８】
一方、本発明の画像形成装置は、上記本発明の画像読取装置と、前記画像読取装置により読取られた前記被照射体の画像を記録用紙に印刷する印刷部を備えたことを特徴とする。
【００１９】
このような画像形成装置においても、上記本発明の画像読取装置と同様の作用効果を奏
することができる。
一方、本発明の画像読取方法は、複数の発光素子を長尺状の導光部材の両端部に設け、前記発光素子から光を照射された被照射体を読み取る画像読取方法であって、前記発光素子からの光を前記導光部材の内部で導光して長手方向に沿った光出射面から白色基準部材に光を照射し、前記白色基準部材の画像データを読取って発光光量分布を取得し、前記発光光量分布における光量が小さい側に設けられている一端側の前記発光素子の光量を増加させ、前記複数の発光素子からの前記発光光量分布を前記長手方向に沿って対称に近づけるように調整することを特徴とする。
【００２０】
このような画像読取方法においても、上記本発明の画像読取装置と同様の作用効果を奏することができる。
【発明の効果】
【００２１】
本発明では、ＬＥＤの特性ばらつきや組立誤差によらず、略対称で均一な発光光量分布を簡便に実現することが可能な画像読取装置、それを備えた画像形成装置及び画像読取方法を提供することができる。
【図面の簡単な説明】
【００２２】
【図１】本発明が適用される画像形成装置の構成例を示す概略斜視図である。
【図２】本発明が適用される画像形成装置の構成例を示す概略断面図である。
【図３】本発明が適用される原稿読取装置の構成例を示す概略断面図である。
【図４】第１実施形態に係る光源ユニットの概略断面図である。
【図５】本実施形態に係る光源ユニットの概略構成を示す概略斜視図である。
【図６】導光部材と発光素子、光源駆動回路の構成を示すブロック図である。
【図７】撮像素子の出力を処理して発光素子の出力を制御する信号処理系を示すブロック図である。
【図８】発光素子の出力を調整する手順を示すフローチャートである。
【図９】全体光量と白基準値の設定について示す概念図である。
【図１０】主走査方向における発光光量分布を均一にする制御について示す概念図である。
【図１１】ランク分けされたＬＥＤの性能ばらつきを示す表である。
【図１２】ＣＣＤが読み取った主走査方向における発光光量分布を示すグラフであり、（ａ）はＬＥＤアレイによる発光光量分布を示し、（ｂ）は導光棒両端にＬＥＤを設けた光源による発光光量分布を示している。
【発明を実施するための形態】
【００２３】
（第１実施形態）
以下、本発明の実施の形態について、図面を参照して詳細に説明する。先ずは、本発明が適用される原稿読取装置及び画像形成装置の構成例について説明する。
【００２４】
図１は本願の画像形成装置１００を示す概略斜視図である。図２は、本願の画像形成装置１００を示す概略断面図である。画像形成装置１００は、装置本体１１０および自動原稿送り装置１２０を備え、さらに、装置本体１１０は、原稿の画像を読み取る原稿読取部９０と、原稿が載置される原稿載置台９２とを備えている。
【００２５】
原稿読取部９０は、装置本体１１０の上部に設けられている。原稿載置台９２は、透明ガラスで形成され、原稿読取部９０の上側に設けられている。自動原稿送り装置１２０は、原稿載置台９２の上側に取り付けられており、原稿載置台９２の上に自動で原稿を搬送する。また、自動原稿送り装置１２０は、装置本体１１０と自動原稿送り装置１２０とを
連結する軸回りに回動自在に構成され、原稿載置台９２の上を開放することにより原稿を手置きで置くことができるようになっている。
【００２６】
自動原稿送り装置１２０、原稿読取部９０および原稿載置台９２により、本発明にかかる原稿読取装置が構成されている。
【００２７】
画像形成装置１００は、原稿読取装置により読み取られた原稿の画像又は外部から受信した画像データに応じて、所定の用紙（原稿）に対して多色及び単色の画像を形成する。
【００２８】
装置本体１１０は、露光ユニット１、現像器２、感光体ドラム３、クリーナユニット４、帯電器５、中間転写ベルトユニット６、定着ユニット７および２次転写ユニット１０を備える構成とされている。本画像形成装置において扱われる画像データは、ブラック（Ｋ）、シアン（Ｃ）、マゼンタ（Ｍ）、イエロー（Ｙ）の各色を用いたカラー画像に応じたものである。従って、現像器２、感光体ドラム３、帯電器５、クリーナユニット４は、各色に応じた４種類の潜像を形成するようにそれぞれ４個ずつ設けられ、それぞれブラック、シアン、マゼンタ、イエローに設定され、これらによって４つの画像ステーションが構成されている。
【００２９】
画像形成装置１００は、さらに、給紙カセット８１、手差し給紙カセット８２、排紙トレイ９１を備えている。
【００３０】
図３は、図１，２に示す原稿読取装置、すなわち自動原稿送り装置１２０、原稿読取部９０および原稿載置台９２の概略縦断面図である。
【００３１】
原稿読取部９０は、導光部材１３０を含む光源ユニット１４０、ミラーユニット１４１、集光レンズ１４２及び撮像素子（ここではＣＣＤ）１４３を備えている。
【００３２】
原稿載置台９２は、透明なガラス板からなり、主走査方向の両端部が原稿読取部９０の枠体に載置されている。自動原稿送り装置１２０は、副走査方向（図２中の矢印Ｘに沿う方向）に沿った軸線回りに（例えばヒンジによって軸支され）原稿読取部９０に対して開閉可能となっている。自動原稿送り装置１２０の下面は、原稿読取部９０の原稿載置台９２上に載置された原稿Ｇを上から押さえる原稿カバー５０（図４参照）を兼ねている。
【００３３】
原稿読取装置は、原稿固定方式により原稿Ｇを固定して原稿画像を読み取ると共に、原稿移動方式により原稿Ｇを移動させて原稿画像を読み取るように構成されている。
【００３４】
原稿固定方式によって原稿Ｇの原稿画像を読み取る場合、光源ユニット１４０は原稿載置台９２に載置される原稿Ｇに対して光を原稿載置台９２を介して照射しながら一定の速度で副走査方向Ｘの一方側に移動して原稿Ｇの画像を走査する。このとき、導光部材１３０は、原稿載置台９２の下から原稿Ｇが載置される載置面に向けて光を照射する。それと同時にミラーユニット１４１は光源ユニット１４０の移動速度の１／２の移動速度で同じく副走査方向Ｘの一方側に移動する。
【００３５】
光源ユニット１４０にて照明された原稿Ｇからの反射光（読取光）は、光源ユニット１４０に設けられた第１ミラーで反射したのち、ミラーユニット１４１の第２及び第３ミラーによって光路変換され、集光レンズ１４２を介して撮像素子１４３に結像し、ここで原稿画像光が読み取られて電気的な画像データに変換される。
【００３６】
一方、原稿移動方式によって原稿Ｇの原稿画像を読み取る場合、光源ユニット１４０及
びミラーユニット１４１が図２に示される位置に静止したまま、自動原稿送り装置１２０によって原稿Ｇが図２に示される位置の上部を通過するように副走査方向Ｘの一方側に搬送される。
【００３７】
そして、原稿読取ガラス１４４上を通過した原稿Ｇの一方の面に、光源ユニット１４０からの光が該原稿読取ガラス１４４を介して照射されて該一方の面で反射される。原稿Ｇから反射された光は、上述の原稿固定方式と同様に第１ミラーから第２ミラーさらに第３ミラーによって光路変換され、集光レンズ１４２を介して撮像素子１４３に結像し、ここで原稿画像が読み取られて電気的な画像データに変換される。
【００３８】
本発明の実施形態に係る光源ユニット１４０として、一つ又は二つ以上の導光部材を備えたものとして構成することができる。ここでは、二つの導光部材１３０を備えた光源ユニット１４０を例にとって以下に説明する。図４は、本実施形態に係る光源ユニット１４０の概略断面図であり、図５は、本実施形態に係る光源ユニット１４０の概略構成を示す概略斜視図である。
【００３９】
図４は、図５中に示すＡ−Ａ位置での断面図である。光源ユニット１４０は、フレーム１４５と、第１ミラー１４６と、光源基板１４７と、光源駆動回路基板１４８と、放熱板１４９と、ホルダー部材１５０と、導光部材１３０を備えている。
【００４０】
フレーム１４５は、主走査方向に長尺な板状部材の所定箇所を打ち抜き加工や折り曲げ加工により加工して、他の部材を固定支持する部材である。フレーム１４５に設けられた複数の孔は、他の部材をビス等によって取り付けるために用いられる。また、折り曲げて底部に対して立設された部分は、各部材の位置決めや固定に用いられる。
【００４１】
第１ミラー１４６は、ガラスの一面に銀蒸着で反射膜を形成したものであり、反射膜が形成された反射面と、反射面に略直交する端面と、反射面に対向する裏面を有しており、その断面形状は略矩形状で角部が面取り加工されている。また第１ミラー１４６は、それぞれ図示しないミラーホルダによってフレーム１４５に固定されており、原稿によって反射された読取光の光路上に所定位置及び所定角度で配置されている。第１ミラー１４６は、後述するホルダー部材１５０のスリットを通過してきた読取光が最初に入射するミラーであり、スリットの略直下に位置している。
【００４２】
光源基板１４７は、プリント配線基板等の表面上に発光素子（図示せず）を搭載した部材である。図５に示すように、光源基板１４７は導光部材１３０の両端部に対向するようにホルダー部材１５０に取り付けられている。光源基板１４７には、導光部材１３０の端面に向けて光を出射するための光学系を設けていても良い。発光素子としては、ＬＥＤが装置の小型化や点光源としての特性を有しているため最も適しているが、ＬＥＤの代わりに、他の種類の半導体素子や電球等を適用しても構わない。
【００４３】
光源駆動回路基板１４８は、光源基板１４７に搭載された発光素子を駆動制御する駆動回路を搭載した基板であり、フレーム１４５上のホルダー部材１５０外部に取り付けられている。光源駆動回路基板１４８には図示しないハーネスの一端が接続されている。ハーネスの他端は、ホルダー部材１５０の周囲に沿って延伸されて光源基板に接続され、発光素子を駆動する電力は制御信号を伝達する。
【００４４】
放熱板１４９は、熱伝導率の高い金属などにより形成された板状部材であり、光源基板１４７の裏面に熱的に接触して配置されている。したがって、発光素子が発光することで生じた熱は、光源基板１４７の裏面を経由して放熱板に伝達され、外部に放散される。
【００４５】
ホルダー部材１５０は、二本の導光部材１３０を保持する部材であり、主走査方向に長尺な枠形状の壁部１５１と、壁部１５１と一体に形成された略半円柱側面の取付凹部１５２とを有している。壁部１５１はフレーム１４５の底面に対して略鉛直方向に配置されており、二つの取付凹部１５２が凹部を原稿面側に向けて形成されている。それぞれの取付凹部１５２には、導光部材１３０が位置決めして固定されている。また、二つの取付凹部１５２の間には、原稿から反射してきた読取光が通過するスリットが設けられている。壁部１５１の壁面には、導光部材１３０の突起やゲートが係合する孔部１５３ｃ、１５３ｄが形成されている。
【００４６】
導光部材１３０は、透光性を有する略円柱状で主走査方向に延びる長尺な透光性本体１３０ａを備え、透光性本体の長手方向の両端にそれぞれの光入射面が形成され、透光性本体１３０ａの長手方向に沿う側面に光出射面が形成され、透光性本体１３０ａの長手方向に沿う光出射面と対向する他の側面に光反射面が形成されている。この導光部材１３０は、アクリル樹脂を金型で成形することにより形成される。
【００４７】
また、導光部材１３０の反射面は、光射出面に沿った幅方向から視て微小な三角形状（例えばノコギリ状）に形成されている。また、長手方向の中央に行くに従って光量を向上させるという観点から、三角形状に形成された反射面の山と山との頂点間の間隔は、長手方向の中央に行くに従い次第に小さくなっている。反射面の形状としてはノコギリ状に限定されず他の形状でもよく、光が均一となるように反射するように設計しておけば、成型やブラスト加工、印刷技術によって形成してもよい。
【００４８】
図６に示すように、このような光源ユニット１４０では、各導光部材１３０の両端の光入射面にそれぞれフロント側の発光素子１６０Ｆとリア側の発光素子１６０Ｒとが対峙して配置されている。ここで、フロント側とは画像形成装置１００の使用者の位置に近い側であり、リア側とは使用者の位置に遠い側である。また、フロント側の発光素子１６０Ｆはフロント側の光源駆動回路１６１Ｆに接続され、リア側の発光素子１６０Ｒはリア側の光源駆動回路１６１Ｒに接続されている。各発光素子から出射された光は、導光部材１３０の光入射面に入射して導光部材１３０の内部で導光され、光出射面から直接出射されるか、光反射面で反射されて光出射面から出射される。
【００４９】
各導光部材１３０の光出射面は、原稿載置台９２を介して原稿の同一箇所に向けられており、各導光部材１３０の光出射面から出射されたそれぞれの光が原稿の同一箇所に入射して原稿のその箇所が照明され、原稿のその箇所で反射された反射光が読取光としてスリットを通じて第１ミラー１４６に到達してミラーユニット１４１に向けて反射され、集光レンズ１４２を介して撮像素子１４３に結像される。
【００５０】
図７は、撮像素子１４３からの出力を情報処理して、発光素子１６０Ｆ，Ｒの出力を制御する信号処理系を示すブロック図である。撮像素子１４３から出力されたアナログ信号は、アナログアンプで増幅されてからＡＦＥ（Ａｎａｌｏｇ Ｆｒｏｎｔ Ｅｎｄ）１６２に入力される。ＡＦＥ１６２では、アナログ信号をサンプリング回路でサンプリングして、サンプリングされたアナログ信号をゲインコントロールアンプで増幅し、アナログ信号のレベルをオフセット設定回路でオフセットし、この後にアナログ信号をＡ／Ｄ変換器でデジタル信号に変換し、このデジタル信号を出力する。
【００５１】
フロント側の光源駆動回路１６１Ｆおよびリア側の光源駆動回路１６１Ｒは、コントローラ１６３に接続されて発光制御手段を構成している。またコントローラ１６３は、ＡＦＥ１６２の出力に基づいて光源駆動回路１６１Ｆ，１６１Ｒに対して光量調整信号を出力し、光源駆動回路１６１Ｆ，１６１Ｒがそれぞれ発光素子１６０Ｆ，Ｒに対して供給する電流値を制御する。
【００５２】
次に図８〜図１０を用いて、発光制御手段での光量調整信号の決定方法について説明する。図８は、発光素子の出力を調整する手順を示すフローチャートである。図９は、全体光量と白基準値の設定について示す概念図である。図１０は、主走査方向における発光素子１６０Ｆ，Ｒからの発光光量分布を均一にする制御について示す概念図である。
【００５３】
本実施例の画像読取装置では、原稿載置台９２および原稿読取ガラス１４４とは異なる位置に、主走査方向全域にわたって白色の板状部材である白色基準部材を設けておく。主走査方向での光量分布調整がスタートすると、光源ユニット１４０を白色基準部材の下方に移動させて、ステップＳ１に移行する。
【００５４】
ステップＳ１では、コントローラ１６３は主走査方向に沿った発光素子１６０Ｆ，Ｒからの発光光量分布のピーク値を取得する。このとき、コントローラ１６３は光源駆動回路１６１Ｆ，Ｒに対して、予め記憶しておいた初期値の光量調整信号を出力し、光源駆動回路１６１Ｆ，Ｒは、光量調整信号に応じた電流を発光素子１６０Ｆ，Ｒに出力して発光させる。上述したように、発光素子１６０Ｆ，Ｒが発光した光は導光部材１３０に入射して白色基準部材に照射され、白色基準部材が反射した光は第１ミラー１４６、ミラーユニット１４１、集光レンズ１４２を介して撮像素子１４３に結像される。これによりコントローラ１６３は、撮像素子１４３が撮像した白色基準部材の画像データから、主走査方向に沿った発光素子１６０Ｆ，Ｒからの発光光量分布のピーク値を取得する。
【００５５】
次にステップＳ２では、コントローラ１６３は、予め記憶しておいた白色の基準値とステップＳ１で取得したピーク値とを比較する。このとき、ピーク値のほうが基準値よりも大きい場合にはステップＳ３に移行し、基準値のほうがピーク値よりも大きく且つその差が許容範囲外である場合にはステップＳ４に移行する。基準値のほうがピーク値よりも大きく且つその差が許容範囲内である場合にはステップＳ５に移行する。
【００５６】
ステップＳ３では、ピーク値と基準値との関係は図９（ａ）に示したようなものとなっている。したがってコントローラ１６３は、記憶されていた基準値に所定値を加えて、その加算された値を新たな基準値として記憶してステップＳ１に戻る。このとき、発光素子１６０Ｆ，Ｒからの発光量は変化させないため、光量調整信号は更新されない。
【００５７】
ステップＳ４では、ピーク値と基準値との関係は図９（ｂ）に示したようなものとなっている。したがってコントローラ１６３は、発光素子１６０Ｆ，Ｒからの発光量が増加するように新たな光量調整信号を記憶してステップＳ１に戻る。このとき、基準値は更新しない。
【００５８】
ステップＳ１からＳ４のループを繰り返すことで、ピーク値と基準値との関係は図９（ｃ）に示すようなものとなり、発光素子１６０Ｆ，Ｒからの全体の発光量と基準値の関係を適正にしてステップＳ５に移行することができる。ピーク値と基準値との関係が適正であれば、後の工程で撮像素子のゲインを調整することで、適切な画像読取りを行うことが可能となる。このフィードバック制御では、基準値とピーク値との関係が適正でない場合にも、発光量を下げる方向に調整していない。したがって、光量が増加する方向にだけフィードバック制御が機能し、光量が低下によるゲイン調整後のノイズ増加を抑制できる。
【００５９】
ステップＳ５では、コントローラ１６３は光源駆動回路１６１Ｆ，Ｒに対して、上述したステップＳ１〜Ｓ４で設定された光量調整信号を出力する。光源駆動回路１６１Ｆ，Ｒは、光量調整信号に応じた電流を発光素子１６０Ｆ，Ｒに出力して発光させ、白色基準部材で反射された光を撮像素子１４３で撮像し画像データを読取り、導光部材１３０の長手方向である主走査方向に沿った発光素子１６０Ｆ，Ｒからの発光光量分布を取得する。
【００６０】
次にステップＳ６では、コントローラ１６３は主走査方向におけるフロント側とリア側との光量を比較する。このとき、主走査方向の全域を複数のブロックに分割し、導光部材１３０の両端部から均等な距離のブロック間で光量を比較する。リア側の光量がフロント側の光量よりも許容範囲以上大きい場合には、ステップＳ７に移行する。フロント側の光量がリア側の光量よりも許容範囲以上大きい場合には、ステップＳ８に移行する。フロント側とリア側の光量の差が許容範囲内である場合には、ステップＳ９に移行する。
【００６１】
ステップＳ７では、コントローラ１６３はフロント側の光源駆動回路１６１Ｆに対して、フロント側の発光素子１６０Ｆの光量が増加するように新たな光量調整信号を設定してステップＳ５に戻る。このとき、フロント側とリア側の光量差とステップＳ５で用いた光量調整信号とに基づいて新たな光量調整信号として算出することが好ましい。
【００６２】
ステップＳ８では、コントローラ１６３はリア側の光源駆動回路１６１Ｒに対して、リア側の発光素子１６０Ｒの光量が増加するように新たな光量調整信号を設定してステップＳ５に戻る。このとき、フロント側とリア側の光量差とステップＳ５で用いた光量調整信号とに基づいて新たな光量調整信号として算出することが好ましい。
【００６３】
ステップＳ９では、通常のシェーディング調整が行われて、撮像素子１４３の主走査方向におけるゲインの調整などが行われる。ステップＳ９のシェーディング調整が終了すると、光量分布調整は終了して光源ユニット１４０を原稿載置台９２または原稿読取ガラス１４４の下方に移動させて、通常の画像読取り動作を行う。
【００６４】
ステップＳ５からＳ８のループを繰り返すことで、図１０に示すようにリア側の光量が大きい場合には、フロント側の光量を増加させてリア側と同程度にする。これにより、ＬＥＤの特性ばらつきや組立誤差によらず、略対称で均一な発光光量分布を簡便に実現することが可能となる。ここで、コントローラ１６３は光量が小さい側の発光素子の光量を増加させるように制御するため、光量が低下によるゲイン調整後のノイズ増加を抑制できる。
【００６５】
（第２実施形態）
次に本発明の第２実施形態について説明する。第１実施形態と共通の構成については説明を省略する。第１実施形態では、フロント側とリア側の光量比較を一カ所のブロックで行ったが、本実施形態では複数カ所のブロックで繰り返し行う。
【００６６】
本実施の形態では、図８のステップＳ６でフロント側とリア側の光量の差が許容範囲内である場合には、比較するブロックの位置を変更して再度フロント側とリア側の光量を比較するステップＳ６を繰り返す。このときも、導光部材１３０の両端部から均等な距離のブロック間で光量を比較する。このステップＳ５〜Ｓ８を予め定められたブロック位置について繰り返すことで、複数カ所のブロック間での光量比較とフロント側とリア側の光量調整をする。
【００６７】
このように複数カ所のブロックでの光量比較を行うことによって、より高精度に発光光量分布を対称で均一なものとできる。
【００６８】
（第３実施形態）
次に本発明の第３実施形態について説明する。第１実施形態と共通の構成については説明を省略する。第１実施形態では、ステップＳ６でフロント側とリア側の光量比較をして発光素子１６０Ｆ，Ｒのうち光量を増加させる側を毎回決定していたが、本実施形態では発光素子１６０Ｆ，Ｒのうち光量を増加させる側を一回だけ決定する。
【００６９】
本実施形態では、図８のステップＳ６を最初に実行するときには、リア側の光量がフロント側の光量よりも許容範囲以上大きい場合にはステップＳ７に移行し、フロント側の光量がリア側の光量よりも許容範囲以上大きい場合にはステップＳ８に移行する。このとき、フロント側とリア側のどちらの光量が小さいかを記憶しておく。次回以降にステップＳ６を実行するときは、フロント側とリア側の光量の差が許容範囲内である場合にはステップＳ９に移行し、フロント側とリア側の光量の差が許容範囲外である場合には、記憶されている光量の大小関係に基づいてステップＳ７かステップＳ８に移行する。
【００７０】
本実施の形態でのステップＳ７，Ｓ８では、初回のステップＳ５で実行した光量調整信号と比較して光量が増加し、且つフロント側とリア側の光量差が許容範囲となるように新たな光量調整信号を調整する。したがって、二回目以降のステップＳ７，Ｓ８では、初回のステップＳ６で記憶された光量が小さい側について、フロント側とリア側の光量の大小関係が逆転して許容範囲外となった場合には、光量が減少するように光量調整信号を調整することも含まれる。
【００７１】
このように、初回の光量比較ステップで調整する発光素子１６０Ｆ，Ｒを決定して、その後の制御ループでは決定された側の光量調整信号を調整することで、光量分布調整の制御ループを早期に収束させることが可能になる。
【００７２】
（第４実施形態）
次に本発明の第４実施形態について説明する。第１実施形態と共通の構成については説明を省略する。第１実施形態では、導光部材１３０と発光素子１６０Ｆ，Ｒの組み合わせを二組用いる例を示したが、本実施形態では導光部材１３０と発光素子１６０Ｆ，Ｒを一組だけ用いる。
【００７３】
本実施形態では、図３〜５に示された導光部材１３０の一方を反射部材に置き換える。ここで、反射部材は平板状でも凹面状でもよく、一本の導光部材から照射された光を反射して原稿の同一箇所に照射する。
【００７４】
発光素子１６０Ｆ，Ｒから照射される光量を十分に確保できる場合には、導光部材１３０と発光素子１６０Ｆ，Ｒを一組用いるだけでよく、部品点数を減少させることができるうえ、小型化も図ることが可能となる。また、光量分布調整のために制御する対象である発光素子１６０Ｆ，Ｒの個数も減少するために、さらに簡便に光量分布調整を行うことが可能となる。
【符号の説明】
【００７５】
９０…  原稿読取部
９２…  原稿載置台
１００…  画像形成装置
１１０…  装置本体
１３０…  導光部材
１４０…  光源ユニット
１４３…  撮像素子
１４４…  原稿読取ガラス
１４７…  光源基板
１４８…  光源駆動回路基板
１５０…  ホルダー部材
１６０Ｆ，Ｒ…  発光素子
１６１Ｆ，Ｒ…  光源駆動回路
１６２…  ＡＦＥ
１６３…  コントローラ
【図１】
0006415336.tif 000002
【図２】
0006415336.tif 000003
【図３】
0006415336.tif 000004
【図４】
0006415336.tif 000005
【図５】
0006415336.tif 000006
【図６】
0006415336.tif 000007
【図７】
0006415336.tif 000008
【図８】
0006415336.tif 000009
【図９】
0006415336.tif 000010
【図１０】
0006415336.tif 000011
【図１１】
0006415336.tif 000012
【図１２】
0006415336.tif 000013